(57)【要約】【課題】タイマ充電が実行される予定であるにも関わらず、タイマ充電による外部充電が実行されないことを抑制する。【解決手段】車両は、車両外部の充電ケーブルから供給される電力を用いて車載の蓄電装置を充電する外部充電を実行可能に構成される。車両のＥＣＵは、外部充電を予定時刻に開始するタイマ充電（予約充電）を実行可能に構成される。車両のＥＣＵは、タイマ充電が設定されている（タイマ充電が実行される予定である）にも関わらず充電ケーブルが車両に接続されていない場合、充電ケーブルが車両に接続されていない旨を示す電子メールをユーザのスマートフォンに送信する。【選択図】図４
2019068740.tif 000002
【特許請求の範囲】
【請求項１】
車両に搭載される蓄電装置を車両外部の充電ケーブルから供給される電力を用いて充電する外部充電を予定時刻に開始するタイマ充電が可能であり、前記外部充電に関する情報をユーザに通知可能な充電制御装置であって、
前記タイマ充電が実行される予定であるにも関わらず前記充電ケーブルが前記車両に接続されていない場合、前記充電ケーブルが前記車両に接続されていない旨を示す未接続情報をユーザに通知する通知部を備え、
前記通知部は、前記未接続情報をユーザに通知しない時間帯を設定することが可能に構成される、充電制御装置。
【請求項２】
前記通知部は、前記タイマ充電が実行される予定時刻よりも所定時間前に前記未接続情報をユーザに通知する、請求項１に記載の充電制御装置。
【請求項３】
車両に搭載される蓄電装置を車両外部の充電ケーブルから供給される電力を用いて充電する外部充電を予定時刻に開始するタイマ充電が可能であり、前記外部充電に関する情報をユーザに通知可能な充電制御装置であって、
前記タイマ充電が実行される予定であるにも関わらず前記充電ケーブルが前記車両に接続されていない場合、前記充電ケーブルが前記車両に接続されていない旨を示す未接続情報を、予め設定された通知タイミングでユーザに通知する通知部を備え、
前記通知部は、前記未接続情報をユーザに通知しない時間帯を設定することが可能に構成され、
前記通知タイミングの設定は、ユーザによって前記予定時刻とは異なる時間に設定可能である、充電制御装置。
【請求項４】
前記通知部は、前記車両のＳＯＣが所定値以上の場合は、前記未接続情報をユーザに通知しない、請求項１〜３のいずれか１項に記載の充電制御装置。
【請求項５】
前記通知部は、前記車両が電源オフ状態でない場合は、前記未接続情報をユーザに通知しない、請求項１〜４のいずれか１項に記載の充電制御装置。
【請求項６】
前記異なる時間は、前記予定時刻よりも前の時間である、請求項３に記載の充電制御装置。
【請求項７】
請求項１〜６のいずれか１項に記載の充電制御装置を搭載した、車両。
【請求項８】
車両の制御方法であって、
前記車両は、前記車両に搭載される蓄電装置を車両外部の充電ケーブルから供給される電力を用いて充電する外部充電を予定時刻に開始するタイマ充電が可能に構成されており、
前記制御方法は、
前記タイマ充電が実行される予定であるにも関わらず前記充電ケーブルが前記車両に接続されていない場合に、前記充電ケーブルが前記車両に接続されていない旨を示す未接続情報をユーザに通知するステップと、
ユーザの操作に従って、前記未接続情報を非通知とする時間帯を設定するステップとを含む、車両の制御方法。
【請求項９】
前記通知するステップは、
前記タイマ充電が実行される予定時刻よりも所定時間前に前記未接続情報をユーザに通知するステップを含む、請求項８に記載の車両の制御方法。
【請求項１０】
車両の制御方法であって、
前記車両は、前記車両に搭載される蓄電装置を車両外部の充電ケーブルから供給される電力を用いて充電する外部充電を予定時刻に開始するタイマ充電が可能に構成されており、
前記制御方法は、
前記タイマ充電が実行される予定であるにも関わらず前記充電ケーブルが前記車両に接続されていない場合、前記充電ケーブルが前記車両に接続されていない旨を示す未接続情報を、予め設定された通知タイミングでユーザに通知するステップと、
前記通知タイミングの設定を、ユーザの操作に従って前記予定時刻とは異なる時間に設定するステップと、
ユーザの操作に従って、前記未接続情報を非通知とする時間帯を設定するステップとを含む、車両の制御方法。
【請求項１１】
前記制御方法は、
前記車両のＳＯＣが所定値未満であれば前記未接続情報を通知し、前記ＳＯＣが所定値以上の場合は、前記未接続情報をユーザに非通知とするステップをさらに含む、請求項８〜１０のいずれか１項に記載の車両の制御方法。
【請求項１２】
前記制御方法は、
前記車両が電源オフ状態でない場合に、前記未接続情報を非通知とするステップをさらに含む、請求項８〜１１のいずれか１項に記載の車両の制御方法。
【請求項１３】
前記異なる時間は、前記予定時刻よりも前の時間である、請求項１０に記載の車両の制御方法。
【発明の詳細な説明】
【技術分野】
【０００１】
本発明は、充電制御装置およびそれを搭載した車両の制御方法に関し、より特定的には、車載の蓄電装置を車両外部から供給される電力で充電する外部充電に関する情報をユーザに通知可能な充電制御装置に関する。
【背景技術】
【０００２】
特開２０１３−３８９３３号公報（特許文献１）には、車載の走行用バッテリを車両外部の充電ケーブルから供給される電力を用いて充電する外部充電を実行可能な充電制御装置が開示されている。この充電制御装置は、外部充電を予定時刻に開始するタイマ充電（予約充電）を実行可能に構成される。ユーザによってタイマ充電を実行するように設定され、かつ充電ケーブルが車両に接続された状態であると、外部充電が予定時刻に自動的に開始される。
【先行技術文献】
【特許文献】
【０００３】
【特許文献１】特開２０１３−３８９３３号公報
【発明の概要】
【発明が解決しようとする課題】
【０００４】
しかしながら、ユーザがタイマ充電を実行するように設定したにも関わらず、ユーザが充電ケーブルを車両に接続する操作を行なうことを失念した場合、タイマ充電を開始する予定時刻になってもタイマ充電による外部充電が実行されないことになってしまう。
【０００５】
本発明は、上述の課題を解決するためになされたものであって、その目的は、タイマ充電が実行される予定であるにも関わらずタイマ充電による外部充電が実行されないことを抑制することである。
【課題を解決するための手段】
【０００６】
この発明に係る充電制御装置は、車両に搭載される蓄電装置を車両外部の充電ケーブルから供給される電力を用いて充電する外部充電に関する情報をユーザに通知可能である。この充電制御装置は、外部充電を予定時刻に開始するタイマ充電が実行される予定であるか否かを判定する判定部と、タイマ充電が実行される予定であるにも関わらず充電ケーブルが車両に接続されていない場合、充電ケーブルが車両に接続されていない旨を示す情報をユーザに通知する通知部とを備える。
【０００７】
上記構成によれば、タイマ充電が実行される予定であるにも関わらず充電ケーブルが車両に接続されていない場合、充電ケーブルが車両に接続されていない旨がユーザに通知される。これにより、充電ケーブルを車両に接続し忘れていることをユーザに気付かせて、充電ケーブルを車両に接続するようにユーザに促すことができる。その結果、タイマ充電が実行される予定であるにも関わらずタイマ充電による外部充電が実行されないことを抑制することができる。
【図面の簡単な説明】
【０００８】
【図１】車両充電システムの全体構成図である。
【図２】車両の構成を概略的に示す図である。
【図３】ナビゲーション装置の表示部に表示される画面の一例を示す図である。
【図４】ＥＣＵの処理手順を示すフローチャートである。
【発明を実施するための形態】
【０００９】
以下、本発明の実施の形態について、図面を参照しながら詳細に説明する。なお、図中同一または相当部分には同一符号を付してその説明は繰返さない。
【００１０】
図１は、本実施の形態による充電制御装置が適用される車両充電システム１の全体構成図である。この車両充電システム１は、車両１０と、車両１０の外部に設けられた電源装置（以下「外部電源装置」という）２０と、クラウドサーバ３０と、スマートフォン４０とを備える。
【００１１】
車両１０は、インレット１１０と、蓄電装置１３０とを備える。車両１０は、蓄電装置１３０に蓄えられた電力を用いて走行可能な電動車両（たとえばハイブリッド自動車、電気自動車など）である。車両１０は、外部電源装置２０から供給される電力を用いて車載の蓄電装置１３０を充電する制御（以下「外部充電」ともいう）を実行可能に構成される。具体的には、車両１０は、外部電源装置２０から延びる充電ケーブル２１の先端に設けられる充電コネクタ２２を車両１０のインレット１１０にユーザが接続することによって、外部充電が可能な状態となる。
【００１２】
外部電源装置２０は、車両１０へ充電電力を供給する電源である。外部電源装置２０は、車両駐車スペースなどに固設される。なお、図１には外部電源装置２０が地上に設けられる場合が例示されているが、外部電源装置２０は地中に埋設されていてもよい。
【００１３】
クラウドサーバ３０は、車両１０およびスマートフォン４０と通信可能に構成される。車両１０は、クラウドサーバ３０を通じて、車両１０に関する情報（外部充電に関する情報を含む）をスマートフォン４０に送信することができる。
【００１４】
スマートフォン４０は、ユーザが携帯可能な通信端末である。スマートフォン４０は、ディスプレイを備え、クラウドサーバ３０から受信した情報をディスプレイに表示することができる。ユーザは、車両１０から離れた場所に居る場合であっても、クラウドサーバ３０を通じて車両１０から送信される情報の内容を、スマートフォン４０のディスプレイ上で確認することができる。
【００１５】
なお、本実施の形態においては、車両１０からクラウドサーバ３０を通じて間接的にスマートフォン４０に情報を送信する場合を例示するが、車両１０からクラウドサーバ３０を介さずに直接的にスマートフォン４０に情報を送信するように構成されていてもよい。
【００１６】
図２は、図１に示した車両１０の構成を概略的に示す図である。車両１０は、上述のインレット１１０および蓄電装置１３０に加えて、充電器１２０と、蓄電装置１３０と、駆動装置１４０と、ＥＣＵ（Electric  Control  Unit）１５０と、ＤＣＭ（Data  Communication  Module）１６０と、ナビゲーション装置１７０と、イグニッション（ＩＧ）スイッチ１９０とを備える。
【００１７】
インレット１１０は、充電ケーブル２１の先端に設けられる充電コネクタ２２が接続可能に構成される。充電コネクタ２２がインレット１１０に接続されている場合、充電コネクタ２２がインレット１１０に接続されていることを示す信号（以下「接続信号」ともいう）がインレット１１０からＥＣＵ１５０に出力される。
【００１８】
充電器１２０は、ＥＣＵ１５０によって制御され、インレット１１０から受ける電力（外部電源装置２０の電力）を蓄電装置１３０に充電可能な電力に変換して蓄電装置１３０へ出力する。充電器１２０は、たとえば整流器やインバータ等を含んで構成される。
【００１９】
蓄電装置１３０は、充電器１２０から受ける電力を蓄え、蓄えられた電力を駆動装置１４０へ供給することができる。蓄電装置１３０は、たとえば、ニッケル水素電池やリチウムイオン電池等の二次電池や、電気二重層キャパシタ等を含んで構成される。蓄電装置１３０は、車両走行中の制動時に駆動装置１４０において回生発電される電力も蓄えることができる。
【００２０】
駆動装置１４０は、駆動輪（図示せず）を駆動して車両１０が走行するための駆動力を発生する。特に図示しないが、駆動装置１４０は、蓄電装置１３０から電力の供給を受けるコンバータやインバータ、インバータにより駆動されて駆動輪を駆動するモータ等を含む。なお、駆動装置１４０は、蓄電装置１３０を充電するための電力を発生する発電機と、その発電機を駆動可能なエンジンとを含んでもよい。
【００２１】
ＥＣＵ１５０は、ＣＰＵ（Central  Processing  Unit）、メモリ、入出力バッファ等を含み（いずれも図示せず）、車両１０における各種制御を行なう。
【００２２】
ＥＣＵ１５０は、車両１０に関する情報を収集し、ＤＣＭ１６０を通じてクラウドサーバ３０（図１参照）へ送信する。また、ＥＣＵ１５０は、蓄電装置１３０の蓄電量（以下、単に「ＳＯＣ（State  Of  Charge）」ともいう）を監視する。
【００２３】
ＤＣＭ１６０は、クラウドサーバ３０と無線通信可能な通信機である。ＤＣＭ１６０は、ＥＣＵ１５０により収集される車両１０の情報をクラウドサーバ３０へ送信し、また、クラウドサーバ３０から送信される情報を受信してＥＣＵ１５０へ出力する。
【００２４】
ナビゲーション装置１７０は、ＧＰＳ（Global  Positioning  System）を利用して車両１０の現在位置を特定し、現在位置を示す情報をＥＣＵ１５０に出力する。また、ナビゲーション装置１７０は、さまざまな情報を表示可能な表示部を備える。
【００２５】
ＩＧスイッチ１９０は、車両１０の各機器に作動電力を供給するための電源スイッチである。ユーザが車両１０を使用するためにＩＧスイッチ１９０を閉じる操作を行なうと、各機器に電力が供給された状態（車両電源オン状態）となる。ユーザが車両１０の使用を止めるためにＩＧスイッチ１９０を開く操作を行なうと、各機器への電力供給が遮断された状態（車両電源オフ状態）となる。なお、車両電源オフ状態においても、外部充電に関する機器は作動可能な状態に維持される。したがって、車両電源オフ状態においても、外部充電を行なうことは可能である。
【００２６】
＜タイマ充電の設定＞
ＥＣＵ１５０は、上述の外部充電を予め設定された時刻に開始する制御（以下「タイマ充電」ともいう）を実行することができる。タイマ充電を開始する時刻は、ユーザによって入力される開始予定時刻または出発予定時刻に基づいて予め設定される。ユーザは、コンビネーションメータ（図示せず）あるいはナビゲーション装置１７０に表示される画面を用いて、タイマ充電の設定（タイマ充電を実行するか否かの設定、タイマ充電の開始予定時刻、出発予定時刻の入力など）を行なうことができる。
【００２７】
図３は、ナビゲーション装置１７０の表示部に表示される画面の一例を示す図である。図３に示す画面は、タイマ充電の設定を行なうための画面である。ナビゲーション装置１７０の表示画面はいわゆるタッチパネルであり、ユーザは図３に示す画面上に表示されるボタンなどを押下することによってタイマ充電の設定を行なうことができる。なお、図３に示す画面はあくまで一例であってこれに限定されるものではない。
【００２８】
ナビゲーション装置１７０の表示画面には、追加ボタン１８０、スケジュールバー１８１，１８２などが表示される。
【００２９】
追加ボタン１８０は、タイマ充電の設定内容を新規に追加するためのボタンである。ユーザは、追加ボタン１８０を押下することで、タイマ充電の設定内容を示すスケジュールバーを新規に追加することができる。図３に示す例では、２つのスケジュールバー１８１，１８２が既に登録されている例が示されている。
【００３０】
スケジュールバー１８１，１８２は、現在登録されているタイマ充電に関する情報（具体的には、タイマ充電を行なう曜日、タイマ充電の開始予定時刻、タイマ充電を行なう日の出発予定時刻など）を示すバーである。
【００３１】
図３に示す例では、スケジュールバー１８１は、月、火、水、木、金、土の各曜日に、タイマ充電の開始予定時刻が午前１０：００であることを示している。スケジュールバー１８２は、月、金、土の各曜日におけるユーザの出発予定時刻が午後１０：００であることを示している。ユーザによって出発予定時刻が登録されている場合には、ＥＣＵ１５０は、出発予定時刻までに蓄電装置１３０が満充電状態になるように、タイマ充電の開始予定時刻を予め設定する。
【００３２】
スケジュールバー１８１には、変更ボタン１８１Ａおよび設定ボタン（ＯＮボタン）１８１Ｂが表示される。ユーザは、変更ボタン１８１Ａを押下することで、スケジュールバー１８１に表示されているタイマ充電の内容を変更することができる。ユーザは、設定ボタン１８１Ｂを押下することで、スケジュールバー１８１に表示されているタイマ充電を有効状態にするのか否か（実行するのか否か）を設定することができる。有効状態であるとスケジュールバー１８１の明るさが明るくなり、無効状態であるとスケジュールバー１８１の明るさが暗くなる。ユーザは、スケジュールバー１８１の明るさを確認することで、スケジュールバー１８１に表示されているタイマ充電が有効状態であるのか否かを確認することができる。
【００３３】
スケジュールバー１８２にも、スケジュールバー１８１と同様に、変更ボタン１８２Ａおよび設定ボタン（ＯＮボタン）１８２Ｂが表示される。変更ボタン１８１Ａおよび設定ボタン１８１Ｂの機能は、上述の変更ボタン１８２Ａおよび設定ボタン１８２Ｂと同じであるため、詳細な説明は繰り返さない。
【００３４】
＜充電ケーブルが車両に接続されていない旨の通知＞
上述のように、車両１０は、外部充電を予定時刻に開始するタイマ充電を実行可能に構成される。
【００３５】
しかしながら、タイマ充電が設定されている（タイマ充電が実行される予定である）にも関わらず、ユーザが充電ケーブル２１の充電コネクタ２２を車両１０のインレット１１０に接続する操作を行なうことを失念した場合、タイマ充電を開始する予定時刻になってもタイマ充電による外部充電が実行されないことになってしまう。
【００３６】
そこで、本実施の形態によるＥＣＵ１５０は、タイマ充電が設定されているにも関わらず充電ケーブル２１が車両１０に接続されていない場合、充電ケーブル２１が車両１０に接続されていない旨を示す電子メール（以下「充電ケーブル非接続通知メール」ともいう）をクラウドサーバ３０を通じてユーザのスマートフォン４０に送信する。これにより、充電ケーブル２１を車両１０に接続し忘れていることをユーザに通知し、充電ケーブル２１を車両１０に接続するようにユーザに促すことができる。その結果、タイマ充電が設定されているにも関わらずタイマ充電による外部充電が実行されないことを抑制することができる。
【００３７】
図４は、充電ケーブル非接続通知メールを送信する際にＥＣＵ１５０が行なう処理手順を示すフローチャートである。このフローチャートは所定周期で繰り返し実行される。
【００３８】
ステップ（以下、ステップを「Ｓ」と略す）１０にて、ＥＣＵ１５０は、タイマ充電が設定されている（タイマ充電が実行される予定である）か否かを判定する。タイマ充電が設定されていない場合（Ｓ１０にてＮＯ）、ＥＣＵ１５０は処理を終了する。
【００３９】
タイマ充電が設定されている場合（Ｓ１０にてＹＥＳ）、ＥＣＵ１５０は、Ｓ１１にて、上述の接続信号の状態に基づいて、充電コネクタ２２がインレット１１０に接続されているか否かを判定する。充電コネクタ２２がインレット１１０に接続されている場合（Ｓ１１にてＹＥＳ）、ＥＣＵ１５０は処理を終了する。
【００４０】
充電コネクタ２２がインレット１１０に接続されていない場合（Ｓ１１にてＮＯ）、ＥＣＵ１５０は、Ｓ１２〜Ｓ１５にて充電ケーブル非接続通知メールを送信することによって、充電ケーブル２１が車両１０に接続されていない旨をユーザに通知する。
【００４１】
具体的には、Ｓ１２にて、ＥＣＵ１５０は、ＩＧスイッチ１９０の状態から、車両電源オフ状態であるか否かを判定する。車両電源オフ状態でない場合（Ｓ１２にてＮＯ）、ユーザが車両１０を使用している最中であると考えられるため、ＥＣＵ１５０は、上述の充電ケーブル非接続通知メールを送信することなく処理を終了する。これにより、不要な場合にまで充電ケーブル非接続通知メールを送信することを防止することができる。
【００４２】
車両電源オフ状態である場合（Ｓ１２にてＹＥＳ）、ＥＣＵ１５０は、Ｓ１３にて、ＳＯＣが所定値Ｓ１未満であるか否かを判定する。この判定は、外部充電が必要なレベルまでＳＯＣが低下しているか否かを判定するために行なわれる。ＳＯＣが所定値Ｓ１以上である場合（Ｓ１３にてＮＯ）、ＳＯＣが高く外部充電が不要であると考えられるため、ＥＣＵ１５０は、充電ケーブル非接続通知メールを送信することなく処理を終了する。これにより、不要な場合にまで充電ケーブル非接続通知メールを送信することを防止することができる。
【００４３】
ＳＯＣが所定値Ｓ１未満である場合（Ｓ１３にてＹＥＳ）、ＥＣＵ１５０は、Ｓ１４にて、充電ケーブル非接続通知メールを送信するタイミングであるか否かを判定する。ＥＣＵ１５０は、設定中のタイマ充電の開始予定時刻よりも前の予め定められたタイミング（開始予定時刻に近づいたタイミング）、たとえば開始予定時刻の３０分前、８時間前、１２時間前の各タイミングである場合に、充電ケーブル非接続通知メールを送信するタイミングであると判定する。
【００４４】
充電ケーブル非接続通知メールを送信するタイミングでない場合（Ｓ１４にてＮＯ）、ＥＣＵ１５０は、充電ケーブル非接続通知メールを送信することなく処理を終了する。
【００４５】
一方、充電ケーブル非接続通知メールを送信するタイミングである場合（Ｓ１４にてＹＥＳ）、ＥＣＵ１５０は、充電ケーブル非接続通知メールをクラウドサーバ３０を通じてユーザのスマートフォン４０に送信する。
【００４６】
以上のように、本実施の形態によるＥＣＵ１５０は、タイマ充電が設定されているにも関わらず充電コネクタ２２がインレット１１０に接続されていない場合、充電ケーブル非接続通知メールをユーザのスマートフォン４０に送信する。これにより、充電ケーブル２１を車両１０に接続し忘れていることをユーザに通知して、充電ケーブル２１を車両１０に接続するようにユーザに促すことができる。その結果、タイマ充電が実行される予定であるにも関わらずタイマ充電による外部充電が実行されないことを抑制することができる。
【００４７】
＜変形例＞
上述の実施の形態は、たとえば以下ように変更することができる。
【００４８】
（１）  上述の実施の形態においては、充電ケーブル非接続通知メールを送信するタイミング（以下、単に「メール送信タイミング」ともいう）をタイマ充電の開始予定時刻の前の予め定められたタイミングとした。
【００４９】
しかしながら、メール送信タイミングをタイマ充電の開始予定時刻に応じて変更するようにしてもよい。たとえば、充電ケーブル非接続通知メールを夜間に送信してもユーザが睡眠中であり対応できないことが想定されるため、メール送信タイミングから夜間の時間帯を除外するようにしてもよい。
【００５０】
また、メール送信タイミングを具体的なシーンに応じて変更するようにしてもよい。たとえば電気料金の安い深夜時間帯（たとえば２３時間から翌日の７時までの時間帯）に外部充電を行なうためにユーザがタイマ充電の開始予定時刻を２３時に設定している場合には、ユーザの平均帰宅時刻（たとえば２０時）などを考慮して、メール送信タイミングを２０時から２２時までの間のいずれかのタイミングに設定するようにしてもよい。
【００５１】
また、車両１０が通勤用として使用されており、ユーザが出発時刻を７時に設定している場合には、ユーザの平均帰宅時刻（たとえば２０時）およびユーザの平均就寝時間（たとえば２４時）などを考慮して、メール送信タイミングを２０時から２２時までの間のいずれかのタイミングに設定するようにしてもよい。
【００５２】
また、車両１０が会社の社用車として利用されており、昼休みに充電するためにユーザが開始予定時刻を１２時に設定している場合には、メール送信タイミングを１１時３０分から１２時までの間のいずれかのタイミングに設定するようにしてもよい。
【００５３】
（２）  上述の実施の形態においては、充電ケーブル非接続通知メールの送信を車両１０のＥＣＵ１５０が行なう場合を説明したが、充電ケーブル非接続通知メールの送信をクラウドサーバ３０が行なうようにしてもよい。すなわち、クラウドサーバ３０が車両１０から送信される情報に基づいてタイマ充電の設定の有無および充電ケーブル２１の接続状態を判定し、タイマ充電が設定されているにも関わらず充電ケーブル２１が車両１０に接続されていないと判定した場合に充電ケーブル非接続通知メールをユーザのスマートフォン４０に送信するようにしてもよい。
【００５４】
（３）  上述の実施の形態においては、充電ケーブル２１が車両１０に接続されていない旨を電子メールによってユーザに通知したが、通知の手法は電子メールに限定されるものではない。たとえば、スマートフォン４０のスピーカから音声による警告を行なうようにしてもよい。
【００５５】
（４）  上述の実施の形態において、図４に示すＳ１２の判定（車両電源オフ状態であるか否かの判定）、Ｓ１３の判定（ＳＯＣが所定値Ｓ１未満であるか否かの判定）を省略してもよい。すなわち、タイマ充電が設定されているにも関わらず充電コネクタ２２がインレット１１０に接続されていない場合には、車両電源オフ状態であるか否かに関わらず、ＳＯＣが所定値Ｓ１未満であるか否かに関わらず、充電ケーブル非接続通知メールを送信するようにしてもよい。このようにしても、充電ケーブル２１を車両１０に接続し忘れていることをユーザに通知して、充電ケーブル２１を車両１０に接続するようにユーザに促すことができる。
【００５６】
上述の実施の形態および変形例は、技術的に矛盾が生じない範囲で適宜組合せることができる。
【００５７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５８】
１  車両充電システム、１０  車両、２０  外部電源装置、２１  充電ケーブル、２２  充電コネクタ、３０  クラウドサーバ、４０  スマートフォン、１１０  インレット、１２０  充電器、１３０  蓄電装置、１４０  駆動装置、１５０  ＥＣＵ、１７０  ナビゲーション装置、１８０  追加ボタン、１８１，１８２  スケジュールバー、１９０  ＩＧスイッチ。
【図１】
2019068740.tif 000003
【図２】
2019068740.tif 000004
【図３】
2019068740.tif 000005
【図４】
2019068740.tif 000006